(57)【要約】【課題】  画像読込み対象となる原稿が、シート状および立体物の何れであっても、光源のアパーチャと当該原稿の原稿読み取り面との位置関係を制御し、当該原稿の原稿読み取り面における光量が最適となるように調整できる画像読取装置を提供することを目的とする。【解決手段】  光照射用の開口部であるアパーチャ４１が形成され、コンタクトガラス２上にある原稿３に光を照射する光源４と、前記光源４の両端部を支持する一対のホルダ７１、７２と、前記原稿３により反射された照射光に基づいて前記原稿３の画像を読み取る画像読み取り手段とを備えた画像読取装置において、前記原稿３がシート状か、立体物の何れであるかを指示する指示手段３０と、前記指示手段３０からの信号Gに基づき、原稿読み取り面に対する前記アパーチャ４１の角度αを決定するとともに、前記蛍光ランプ４を駆動することにより、前記原稿読み取り面に対して前記角度αで前記アパーチャ４１を配置する駆動制御手段６０とを備える。【選択図】  図２
2005244342.tif 000002
【特許請求の範囲】
【請求項１】
光照射用の開口部であるアパーチャが形成され、コンタクトガラス上にある原稿に光を照射する光源と、前記原稿により反射された照射光に基づいて前記原稿の画像を読み取る画像読み取り手段とを備えた画像読取装置において、
前記原稿がシート状か、立体物の何れであるかを指示する指示手段と、前記指示手段からの信号に基づき、原稿読み取り面に対する前記アパーチャの角度を決定するとともに、前記アパーチャを駆動することにより、前記原稿読み取り面に対して前記角度で前記アパーチャを配置する駆動制御手段とを備えたことを特徴とする画像読取装置。
【請求項２】
前記原稿の読み取りを指示する操作スイッチが設けられた操作パネルを備え、前記指示手段が、前記操作パネルに設けられた指示スイッチであることを特徴とする請求項１に記載の画像読取装置。
【請求項３】
前記原稿を自動的に搬送する自動原稿搬送装置を備え、前記指示手段が、前記自動原稿搬送装置にシート状の前記原稿が載置されているか否かを判別するセンサであることを特徴とする請求項１に記載の画像読取装置。
【請求項４】
前記光源の外表面の一端部近傍にはアパーチャ位置検知用電極が形成され、前記光源の両端部には光源を支持する一対のホルダが設けられていて、前記アパーチャ位置検知用電極が形成された光源の一端部を支持する側のホルダには入力端子および複数個の出力端子とからなるアパーチャ位置検知用端子が形成され、前記駆動制御手段が、前記入力端子から入力され、前記アパーチャ位置検知用電極を介して前記出力端子から出力される位置検知用信号に基づいて前記アパーチャの配置を制御する制御部を備えたことを特徴とする請求項１乃至請求項３のいずれかに記載の画像読取装置。
【請求項５】
前記アパーチャ位置検知用端子が、３つ以上の前記出力端子を有し、かつ、前記アパーチャ位置検知用電極が、前記出力端子の少なくとも１つから常時前記位置検知用信号が出力されるように形成されていることを特徴とする請求項１乃至請求項４のいずれかに記載の画像読取装置
【発明の詳細な説明】
【技術分野】
【０００１】
本発明は、原稿を照明する光源としてアパーチャを有する光源を用いたスキャナ、ファクシミリ装置、複写機等の画像読取装置に関し、特に画像読込み対象となる原稿がシート状および立体物の何れであっても、原稿読み取り面における光源からの光量が最適となるように蛍光ランプのアパーチャの位置を簡単に調整できるようにしたものである。
【０００２】
一般的に、この種スキャナ、ファクシミリ装置、複写機等の画像読取装置の光源として用いられる光源、例えば希ガスであるキセノンを封入したキセノン蛍光ランプにあっては、読み取り原稿面における光量を少しでも高めてＳ／Ｎ比を高くするために、アパーチャタイプが使用されている。
【背景技術】
【０００３】
従来、このようなアパーチャタイプの光源（蛍光ランプ）を用いた画像読取装置としては、当該蛍光ランプをアパーチャ位置調整手段に装着し、アパーチャの位置調整、すなわち、光軸調整は、スキャンライン合わせ、レンズピント調整、縮率調整等、読み取り部に関する通常の調整を行なった後、オシロスコープ等により、光電変換素子からの白レベル出力波形を観察しながら行なうようにしたものが採用されている（例えば、特許文献１参照）。
【特許文献１】特開平７−１６２６００号公報
【発明の開示】
【発明が解決しようとする課題】
【０００４】
しかし、上述の特許文献１記載の構成では、画像読取装置の機能としては関係のない調整設備としてのオシロスコープ等を用い、光電変換素子からの白レベル出力波形を観察し、調整しているので、製造過程におけるアパーチャの位置調整として利用するものである。そして、その光軸調整も一般的に、シート状の原稿のようにコンタクトガラスから離れていないようなものを画像読込み対象とし、コンタクトガラスの載置面を原稿読み取り面として照準を合わせ、蛍光ランプからの光量が最適となるようにしている。したがって、画像読込み対象となる原稿が、シート状の場合には問題がないが、画像読込み対象となる原稿が、コンタクトガラスから離れるようなもの、例えば、書籍のページ見開き中央部付近や、ある程度の凹凸を持った立体物等の場合、コンタクトガラスから離れた部分の光量が極端に低下し、影やくすみとなったり、特に、微小な光量の変化も検知し、画像に反映するカラー読み取り装置の場合、コンタクトガラスから浮き上がってしまった部分の画像が、本来の色から離れた、青味がかったり、黄色味がかったりしてしまう色違い等が発生し、良好な画像が得られない等の問題点があった。
【０００５】
また、上述の問題点を解消するために、予めある程度コンタクトガラスから離れた位置の光量も、コンタクトガラスの載置面と同様の光量とし、蛍光ランプからの発光量が均一になるように、コンタクトガラスの載置面から離れた位置に照準を合わすことも考えられるが、この様な構成にすると、使用頻度の多いシート状の原稿に対する光量が低下するため、全体としての光量を上げる必要があり、結果として、必然的に消費電力が増大し、近年の省エネルギー対策に反し、不経済である他、発熱量が増大する等の問題点がある。
【０００６】
本発明は、上述した課題を解決するためになされたものであり、画像読込み対象となる原稿が、シート状および立体物の何れであっても、光源のアパーチャと当該原稿の原稿読み取り面との位置関係を制御し、当該原稿の原稿読み取り面における光量が最適となるように調整できる画像読取装置を提供することを目的とする。
【課題を解決するための手段】
【０００７】
上記目的を達成するために、請求項１記載の発明では、光照射用の開口部であるアパーチャが形成され、コンタクトガラス上にある原稿に光を照射する光源と、前記光源の両端部を支持する一対のホルダと、前記原稿により反射された照射光に基づいて前記原稿の画像を読み取る画像読み取り手段とを備えた画像読取装置において、前記原稿がシート状か、立体物の何れであるかを指示する指示手段と、前記指示手段からの信号に基づき、原稿読み取り面に対する前記アパーチャの角度を決定するとともに、前記光源を駆動することにより、前記原稿読み取り面に対して前記角度で前記アパーチャを配置する駆動制御手段とを備える。
【０００８】
請求項２記載の発明では、前記原稿の読み取りを指示する操作スイッチが設けられた操作パネルを備え、前記指示手段が、前記操作パネルに設けられた指示スイッチを有する。
【０００９】
請求項３記載の発明では、前記原稿を自動的に搬送する自動原稿搬送装置を備え、前記指示手段が、前記自動原稿搬送装置にシート状の前記原稿が載置されているか否かを判別するセンサを有する。
【００１０】
請求項４記載の発明では、前記光源の外表面の一端部近傍にはアパーチャ位置検知用電極が形成され、前記光源の両端部には光源を支持する一対のホルダが設けられていて、前記アパーチャ位置検知用電極が形成された光源の一端部を支持する側のホルダには入力端子および複数個の出力端子とからなるアパーチャ位置検知用端子が形成され、前記駆動制御手段が、前記入力端子から入力され、前記アパーチャ位置検知用電極を介して前記出力端子から出力される位置検知用信号に基づいて前記アパーチャの配置を制御する制御部を備える。
【００１１】
請求項５記載の発明では、前記アパーチャ位置検知用端子が、３つ以上の前記出力端子を有し、かつ、前記アパーチャ位置検知用電極が、前記出力端子の少なくとも１つから常時前記位置検知用信号が出力されるように形成されている。
【発明の効果】
【００１２】
請求項１記載の発明の構成によれば、指示手段から原稿がシート状か、立体物の何れであるかを指示する信号が発せられ、この信号に基づき駆動制御手段により、原稿読み取り面に対する光源のアパーチャの角度を決定し、かつ、当該角度となるように光源を駆動するので、原稿がシート状あるいは立体物の何れであっても、当該原稿に最適な位置にアパーチャが移動され、原稿面読み取りにおける光量を常に最適とすることができる。従って、影やくすみ、色違いの無い、良好な画像を得ることができる。また、殊更光源の光量を増大する必要はなく、極めて経済的である。
【００１３】
請求項２記載の発明の構成によれば、指示手段として、操作者パネルに指示スイッチを設ければよく、構成が簡単にできる他、その操作も極めて簡単で、好ましい。
【００１４】
請求項３記載の発明の構成によれば、指示手段として、自動原稿搬送装置にシート状の原稿が載置されているか否かを判別するセンサから指示されるようにしているので、自動原稿搬送装置を用いた場合、自動化が図れ、都合がよい。
【００１５】
請求項４記載の発明の構成によれば、制御部に入力される位置検知用信号は、光源そのものに形成されたアパーチャ位置検知用電極により、アパーチャの位置が検知されており、極めて正確にアパーチャの位置を調整でき、好ましい。
【００１６】
請求項５記載の発明の構成によれば、アパーチャ位置検知部は、出力端子のうちの少なくとも１つから常時位置検知用信号を出力し、アパーチャの位置を検知しているので、極めて正確に位置情報が確認できる他、光源を駆動中、万一停電や誤操作等によって電源が切れ、アパーチャが中途半端な位置に停止しても、その後再通電された時点で、前記出力端子の何れから位置検知用信号が出力されているか検知し、速やかに駆動方向を判別することができ、都合がよい。
【発明を実施するための最良の形態】
【００１７】
以下、本発明を適用した画像読取装置の実施例について図面に基づいて説明する。
【実施例１】
【００１８】
先ず、実施例１に係る画像読取装置について、図１〜図９に基づいて説明する。図１は、本実施例に係る画像読取装置の全体構成を示す概略図、図２は、図１に示す画像読取装置に用いられる指示手段、駆動制御手段、光源（蛍光ランプ）および原稿読み取り面の関係を説明するための概念図、図３は、図１に示す画像読取装置に用いられる蛍光ランプの一例を示す斜視図、図４は、図３に示す蛍光ランプの要部を示す斜視図、図５は、アパーチャ位置検知用端子を設けたホルダの一例を示す斜視図、図６は、ランプ点灯用電源供給側のホルダの一例を示す斜視図、図７は、駆動制御手段の駆動部の一例を示す概略斜視図、図８および図９は、アパーチャ位置検知用電極と、アパーチャ位置検知用端子の入出力端子との関係を説明するための概念図である。
【００１９】
図１において、画像読取装置５０は、画像読取装置本体１と、画像読取装置本体１の上面に設けられた原稿台用コンタクトガラス２、および流し読み用コンタクトガラス１７と、当該原稿台用コンタクトガラス２の上面の一部を覆うとともに、原稿台用コンタクトガラス２、および流し読み用コンタクトガラス１７に隣接して設けられた原稿サイズ指示用部材１８を備えている。この原稿サイズ指示用部材１８は、原稿台用コンタクトガラス２に載置される原稿３のサイズの指標となるものである。画像読取装置本体１は、原稿台用コンタクトガラス２上に載置された原稿３に光を照射して原稿を照明する光源である蛍光ランプ４と、原稿３により反射された照射光を９０度方向に反射する第１ミラー５とから構成される第１光学系ユニット６と、第１ミラー５による反射光を９０度方向に反射する第２ミラー７と、第２ミラー７による反射光を更に９０度方向に反射する第３ミラー８とから構成される第２光学系ユニット９とを備えている。
【００２０】
また、画像読取装置本体１の内部には、結像レンズ１０と、ＣＣＤセンサ１１が搭載されたＣＣＤユニット１１'が設けられており、第３ミラー８により反射された原稿３からの反射光は、ＣＣＤセンサ１１に対面して設けられた結像レンズ１０により収束され、当該結像レンズ１０を介してＣＣＤセンサ１１に入射し、当該ＣＣＤセンサ１１上に結像される。そして、原稿３上を走査した画像の光は、ＣＣＤセンサ１１により電気信号に変換され、原稿画像の濃淡が電気信号レベルの高低に変換される。本実施形態においては、第１光学系ユニット６、第２光学系ユニット９、結像レンズ１０、およびＣＣＤユニット１１'により、蛍光ランプ４により照射され、原稿３により反射された照射光に基づいて、原稿画像を読取る画像読取り手段が構成されている。
【００２１】
なお、本実施例では、光源４としてキセノン蛍光ランプ、ハロゲン蛍光ランプ、蛍光灯、等の蛍光ランプを使用しているが、本発明はアパーチャを有する光源であれば適用可能である。
【００２２】
また、上記構成においては、結像レンズ１０、およびＣＣＤセンサ１１は画像読取装置本体１に固定されているが、蛍光ランプ４がスキャン方向に移動しても原稿側光路長が変化しないようにするために、蛍光ランプ４と第１ミラー５とから構成される第１光学ユニット６と、第２ミラー７と第３ミラー８とから構成される第２光学ユニット９は、各々、一定速度で移動可能となるように設けられている。これらの第１、第２光学ユニット６、９の移動、および停止は、図示しない光学ユニット駆動手段により行われる。
【００２３】
また、本実施例の画像読取装置５０は、原稿の流し読みを行うための自動原稿搬送装置１２を備えており、当該自動原稿搬送装置１２は、原稿給紙用トレイ１３と、当該原稿給紙用トレイ１３に積載された原稿１４を給紙する給紙部１５と、給紙された原稿１４を搬送するための原稿用搬送路１６と、原稿１４を排出するための原稿排紙用搬送路１９と、排出された原稿１４が積載される原稿排紙用トレイ２０とを備えている。
【００２４】
原稿１４の流し読みを行う場合は、自動原稿搬送装置１２の原稿給紙用トレイ１３に積載された原稿１４は、給紙部１５により自動原稿搬送装置１２内に給紙され、原稿用搬送路１６を通って、流し読み用コンタクトガラス１７へと搬送される。この際、第１光学ユニット６、および第２光学ユニット９は、図示しない駆動制御手段により、各々、所定のタイミングにより、図中の矢印２１、２２の方向に一定速度で移動するとともに、流し読み用コンタクトガラス１７上を通過する原稿１４を読取り可能な位置に停止し、原稿１４の画像の読取りを開始する。この場合も、上述した通常の画像読取りを行う場合と同一の画像読取部により原稿１４の画像が読み取られる。即ち、蛍光ランプ４により照射され、原稿１４により反射された照射光を、第１〜第３ミラー５、７、８により更に反射させるとともに、ＣＣＤセンサ１１に対面して設けられた結像レンズ１０を介してＣＣＤセンサ１１に入射させ、ＣＣＤセンサ１１上に結像させる。そして、原稿１４上を走査した画像の光は、ＣＣＤセンサ１１により電気信号に変換され、原稿画像の濃淡が電気信号レベルの高低に変換される。つまり、蛍光ランプ４により照射され、原稿１４により反射された照射光に基づいて、第１光学系ユニット６、第２光学系ユニット９、結像レンズ１０、およびＣＣＤユニット１１'により構成された画像読取り手段が、当該原稿１４の画像を読取る構成となっている。
【００２５】
流し読み用コンタクトガラス１７上を通過し、画像が読み取られた原稿１４は、原稿排紙用搬送路１９を経由して、自動原稿搬送装置１２外に排出され、原稿排紙用トレイ２０上に積載される。
【００２６】
本発明に従い、画像読取装置本体１には、例えば図２に示すように、コンタクトガラス２上にある原稿３が、シート状か、立体物の何れであるかを指示する指示手段３０と、この指示手段３０からの原稿情報の信号Ｇに基づき、原稿読み取り面に対するアパーチャ４１の角度αを決定し、かつ、当該角度αとなるように上記蛍光ランプ４を駆動する駆動制御手段６０を備えている。
【００２７】
上記指示手段３０は、原稿３の読み取りを指示する操作スイッチやメインスイッチ等が設けられた操作パネル２３上に、当該原稿３が、シート状の場合にＯＮするシート用の指示スイッチ３１と、立体物の場合にＯＮする立体物用の指示スイッチ３２を有し、当該指示スイッチ３１、３２がＯＮされることにより、原稿情報、即ち、原稿３が、シート状か、立体物の何れであるか指示する原稿情報の信号Ｇを後述する駆動制御手段６０に伝達する。
【００２８】
ここで、当該駆動制御手段６０は、指示手段３０からの信号Ｇに基づき、原稿読み取り面に対するアパーチャ４１の角度αを決定し、かつ、当該角度αとなるように上記蛍光ランプ４を駆動するように構成されており、具体的には、例えば、蛍光ランプ４のアパーチャ４１の位置、即ち、当該アパーチャ４１の角度αを検知するアパーチャ位置検知部６１と、このアパーチャ位置検知部６１からの位置情報信号Ｓおよび上記指示手段３０からの上記原稿情報の信号Ｇが入力され、上記アパーチャの角度αを決定する制御部６２と、この制御部６２によって制御され、上記蛍光ランプ４を上記角度αになるように駆動する駆動部６３を備えている。
【００２９】
また、上記蛍光ランプ４は、例えば希ガスであるキセノンを封入したキセノン蛍光ランプが用いられ、図３および図４に示すように、この蛍光ランプ４の外表面の一端部近傍の所定位置にクランク状のアパーチャ位置検知用電極４２が、シルクスクリーン印刷等により形成されている。蛍光ランプ４には、上記原稿３、１４に可視光を照射するための開口部であるアパーチャ４１が形成されている。更に、蛍光ランプ４の他端部近傍には、図示しないランプ点灯用電源供給端子が設けられ、図６に示すように電力供給用のケーブル４４に接続され、ホルダ７２に支持されている。上記ランプ点灯用電源供給端子は、一対の電極（一方のみ図示）を対峙して形成した放電電極４３に電気的に接続されている。上記放電電極４３と、上記アパーチャ位置検知用電極４２とは電気的に絶縁されている。そして、この蛍光ランプ４は、その両端部が図５および図６に示すような、一対のホルダ７１、７２により支持され、例えば、画像読取装置本体１の第１光学系ユニット６の枠体等の所定位置に、上記ホルダ７１、７２のフランジ部７３の取付孔７４を用いて装着される。
【００３０】
また、上記一方のホルダ７１には、図５に示すように、略円柱形状の入力端子８２と、同じく略円柱形状の２個の出力端子８３、８４とからなるアパーチャ位置検知用端子８１が形成されている。上記入力端子８２と出力端子８３、８４は、ホルダ７１の胴部に設けられた孔７５に挿入され、入力端子８２および出力端子８３、８４の一端が、上記蛍光ランプ４の一端部近傍に接するように配設されている。
【００３１】
上記アパーチャ位置検知部６１は、上記蛍光ランプ４に形成されたアパーチャ位置検知用電極４２と、上記他方のホルダ６１に設けられたアパーチャ位置検知用端子８１により構成され、上記アパーチャ位置検知用電極４２と、上記アパーチャ位置検知用端子８１の入力端子８２および出力端子８３、８４と、上記蛍光ランプ４のアパーチャ４３との位置関係は、上記入力端子８２から位置検知用信号Ｓを入力した際、上記出力端子８３から位置検知用信号Ｓが出力される場合には、コンタクトガラス２の原稿載置面である点Ｐ２（図２参照）に蛍光ランプ４の光軸が位置し、また、上記出力端子８４から位置検知用信号Ｓが出力される場合には、コンタクトガラス２の原稿載置面より上側の点Ｐ１（図２参照）に蛍光ランプ４の光軸が位置するように設定されている。即ち、上記出力端子８３から位置検知用信号Ｓが出力される場合には、蛍光ランプ４からの光量が、上記点Ｐ２において最適であり、また上記出力端子８４から位置検知用信号Ｓが出力される場合には、上記点Ｐ１において最適であるように構成されている。
【００３２】
上記駆動部６３は、図７に示すように上記蛍光ランプ４の一端部近傍に設けられたウオームホイール６４と、このウオームホイール６４に結合されたウオーム６５と、このウオーム６５に回転力を伝達し、当該ウオーム６５を駆動する駆動モータ６６から構成され、上記制御部６２によって制御される。
【００３３】
なお、図１に示すように、原稿１４の搬送を自動的に行う自動原稿搬送装置１２を備えている場合には、上記自動原稿搬送装置１２の原稿給紙用トレイ１３に原稿１４が載置されたことを判別するリミットスイッチや光電素子等のセンサを設け、このセンサからの信号を原稿１４がシート状であることを指示する指示信号Ｇとして追加し、上記指示手段３０を構成しても良いのは勿論である。また、上記自動原稿搬送装置１２に予め、原稿送り等の目的で、原稿の有無を判別するセンサが設置されている場合には、当該センサからの信号を、原稿対象物を指示する指示信号に兼用しても良いのは勿論である。
【００３４】
次に、上述の構成による画像読取装置において、画像の読み取り動作について説明する。なお、以下の説明では、指示手段３０として自動原稿搬送装置１２の原稿給紙用トレイ１３に原稿１４が載置されたことを判別するセンサが設けられているものとする。
【００３５】
先ず、複数枚のシート状の原稿１４を画像読み取り対象とし、自動原稿搬送装置１２を使用する場合について説明する。上記原稿給紙用トレイ１３に原稿１４を載置すると、上記原稿給紙用トレイ１３に原稿１４が載置されたことを判別するセンサが動作し、このセンサの原稿検知信号に基づき指示手段３０は、画像を読み取る対象の原稿１４がシート状であることを指示する原稿情報の信号Ｇを、駆動制御手段６０の制御部６２に伝える。これに基づき、上記制御部６２では、アパーチャ位置検知部６１により、現在の蛍光ランプ４のアパーチャ４１の位置を検知する。即ち、アパーチャ位置検知部６１において、入力端子８２から位置検知用信号Ｓを入力し、何れの出力端子８３、８４から上記位置検知用信号Ｓが出力されるか制御部６２で判別する。
【００３６】
例えば、図８に示すように、アパーチャ位置検知用電極４２と、入力端子８２および出力端子８３とが接した状態では、入力端子８２から入力された位置検知用信号Ｓは、アパーチャ位置検知用電極４２を介して出力端子８３から出力される。従って、蛍光ランプ４のアパーチャ４１の光軸が点Ｐ２を結ぶ線上にあり、シート状の原稿に適した位置にあることが確認され、その後、画像を取り込む動作に入る。
【００３７】
また、図９に示すように、アパーチャ位置検知用電極４２と、入力端子８２および出力端子８４とが接した状態では、入力端子８２から入力された位置検知用信号Ｓは、アパーチャ位置検知用電極４２を介して出力端子８４から出力される。従って、蛍光ランプ４のアパーチャ４１の光軸が点Ｐ１を結ぶ線上にあり、シート状の原稿に適していない位置にあることが確認され、制御部６２は、上記駆動部６３の駆動モータ６６を駆動し、図８に示すように、アパーチャ位置検知用電極４２と、入力端子８２および出力端子８３とが接した状態になるまで、ウオーム６５を介してウオームホイール６４を回転し、蛍光ランプ４のアパーチャ４１の光軸が点Ｐ２を結ぶ線上に位置するように調整する。この結果、蛍光ランプ４のアパーチャ４１が、シート状の原稿に適した位置にあることが確認され、その後、画像を取り込む動作に入る。
【００３８】
次に、原稿３として立体物を対象とする場合について説明する。上記コンタクトガラス２上に、原稿３である書籍を見開きにした状態で載置し、操作パネル２３に設けられた操作手段３０の指示スイッチ３１、３２のうち、立体物用の指示スイッチ３２をＯＮして画像の読みとりを指示すると、この指示により、駆動制御手段６０の制御部６２には、画像を読み取る対象の原稿３が、立体物であることを指示する原稿情報の信号Ｇが伝えられる。これに基づき、前述の場合と同様、制御部６２では、アパーチャ位置検知部６１により、現在の蛍光ランプ４のアパーチャ４１の位置を検知する。即ち、アパーチャ位置検知部６１において、入力端子８２から位置検知用信号Ｓを入力し、何れの出力端子８３、８４から上記位置検知用信号Ｓが出力されるか制御部６２で判別する。
【００３９】
例えば、図８に示すように、アパーチャ位置検知用電極４２と、入力端子８２および出力端子８３とが接した状態では、入力端子８２から入力された位置検知用信号Ｓは、アパーチャ位置検知用電極４２を介して出力端子８３から出力される。従って、蛍光ランプ４のアパーチャ４１の光軸が点Ｐ２を結ぶ線上にあり、立体物の原稿に適していない位置にあることが確認され、制御部６２は、上記駆動部６３の駆動モータ６６を駆動し、図９に示すように、アパーチャ位置検知用電極４２と、入力端子８２および出力端子８４とが接した状態になるまで、ウオーム６３を介してウオームホイール６４を回転し、蛍光ランプ４のアパーチャ４１の光軸が点Ｐ１を結ぶ線上に位置するように調整する。この結果、蛍光ランプ４のアパーチャ４１が、立体物の原稿に適した位置にあることが確認され、その後、画像を取り込む動作に入る。
【００４０】
また、図９に示すように、アパーチャ位置検知用電極４２と、入力端子８２および出力端子８４とが接した状態では、入力端子８２から入力された位置検知用信号Ｓは、アパーチャ位置検知用電極４２を介して出力端子８４から出力される。従って、蛍光ランプ４のアパーチャ４１の光軸が点Ｐ１を結ぶ線上にあり、立体物の原稿に適した位置にあることが確認され、その後、画像を取り込む動作に入る。
【００４１】
なお、詳述しないが、上記コンタクトガラス２上にシート状の原稿３を載置した場合には、操作パネル２３に設けられた操作手段３０の指示スイッチ３１、３２のうち、シート用の指示スイッチ３１をＯＮして画像の読みとりを指示すれば、駆動制御手段６０は、上記した自動原稿搬送装置１２による場合と同様に動作し、シート状の画像を取り込むことができる。
【００４２】
以上の構成による実施例では、読み取り対象とする原稿種別に応じて、蛍光ランプ４のアパーチャ４１の角度を調整し、原稿面読み取りにおける光量を常に最適とすることができる。従って、影やくすみ、色違いの無い、良好な画像を得ることができる。また、殊更蛍光ランプの光量を増大する必要はなく、極めて経済的である。
【００４３】
また、この種画像読取装置に自動原稿搬送装置１２を用いた場合、上記指示手段３０として、自動原稿搬送装置１２にシート状の原稿が載置されているか否かを判別するセンサから指示されるようにすると、より自動化が図れ、都合がよい。
【００４４】
なお、上述の実施例では、指示手段３０から原稿情報の信号Ｇが伝えられる都度、アパーチャ位置検知部６１により、当該時点の蛍光ランプ４のアパーチャ４１の位置を検知するようにしているが、例えば、制御部６２に記憶素子等の記憶機能を設け、常に当該時点のアパーチャ４１の位置情報を記憶するようにし、検知時間の短縮を図るようにしても良いのは勿論である。
【実施例２】
【００４５】
次に、図１０乃至図１２に示す本発明の他の実施例について説明する。この実施例では、上記アパーチャ位置検知部を、３個以上の出力端子を有し、かつ、位置検知用電極が、上記出力端子の少なくとも１つから常時位置検知用信号が出力される形状に形成した点に特徴がある。図１０は、本発明の他の実施例に係る画像読取装置に用いられる蛍光ランプの要部を示す斜視図、図１１は、アパーチャ位置検知用端子を設けたホルダの例を示す斜視図、図１１は、アパーチャ位置検知用端子からの出力信号波形を示す波形図である。なお、図１０乃至図１２において、上述の実施例１と同一の構成部分については同一の符号を付してその説明を省略し、相違点を中心に説明する。
【００４６】
この実施例では、駆動制御手段のアパーチャ位置検知部６１の構成要素の一つであるアパーチャ位置検知用電極４２を、図１０に示すように、蛍光ランプ４の一端部近傍の所定位置にシルクスクリーン印刷等により形成し、その形状は、後述するアパーチャ位置検知端子８１の出力端子子８３、８４、８５の少なくとも１つから常時位置検知用信号が出力されるように形成されている。
【００４７】
また、ホルダ７１には、図１１に示すような、アパーチャ位置検知用端子８１が形成されている。このアパーチャ位置検知用端子８１は、略円柱形状の入力端子８２と、この入力端子８２の左右に、同じく略円柱形状の出力端子８３、８４、８５が配設されている。これら入力端子８２および出力端子８３、８４、８５は、前述の実施例と同様に、上記ホルダ７１の胴部に設けられた孔７５に挿入され、上記入力端子８２および出力端子８３、８４、８５の一端が、上記蛍光ランプ４の一端部近傍に接するように配設されている。
【００４８】
そして、前述の実施例と同様、上記アパーチャ位置検知部６１は、上記アパーチャ位置検知用電極４２と、上記ホルダ７１に設けられたアパーチャ位置検知用端子８１により構成され、上記アパーチャ位置検知用電極４２と、上記アパーチャ位置検知用端子８１の入力端子８２および出力端子８４、８３、８５と、上記蛍光ランプ４のアパーチャ４３との位置関係は、上記入力端子８２から位置検知用信号Ｓを入力した際、上記出力端子８３、８４から位置検知用信号Ｓが出力されるとき（図１２のＴ２で示す範囲）は、コンタクトガラス２の原稿載置面である点Ｐ２（図２参照）に蛍光ランプ４の光軸が位置し、また、上記出力端子８４、８５から位置検知用信号Ｓが出力されるとき（図１２のＴ４で示す範囲）は、コンタクトガラス２の原稿載置面より上側の点Ｐ１（図２参照）に蛍光ランプ４の光軸が位置するように設定されている。即ち、上記出力端子８３、８４から位置検知用信号Ｓが出力される場合には、蛍光ランプ４からの光量が、上記点Ｐ２において最適であり、また上記出力端子８４、８５から位置検知用信号Ｓが出力される場合には、上記点Ｐ１において最適であるように構成されている。
【００４９】
以上の構成によっても、駆動制御手段のアパーチャ位置検知部６１は、上述した実施例１と同様、指示手段からの原稿情報の信号Ｇに基づき、上記出力端子８３、８４、８５からの位置検知用信号Ｓにより、蛍光ランプ４のアパーチャ４１の位置を検知し、制御部にアパーチャ４１の位置情報を伝達する。従って、制御部は、確認された上記位置情報を基に、駆動部の駆動モータを制御し、指示手段からの指示に適した状態となるように、即ち、原稿がシート状の場合は、図１２のＴ２で示すように出力端子８３、８４から位置検知用信号Ｓが出力される位置に、また、原稿が立体物の場合は、図１２のＴ４で示すように出力端子８４、８５から位置検知用信号Ｓが出力される位置に、蛍光ランプ４のアパーチャ４１の光軸を調整する。そして、当該条件を満たしたことが確認された後、画像を取り込む動作に入る。
【００５０】
この構成によっても、上述の実施例１と同様、読み取り対象とする原稿種別に応じて、蛍光ランプ４のアパーチャ４１の角度を調整し、原稿面読み取りにおける光量を常に最適とすることができる。従って、影やくすみ、色違いの無い、良好な画像を得ることができる。また、アパーチャ位置検知部６１は、出力端子８３、８４、８５のうちの少なくとも１つから常時位置検知用信号Ｓを出力し、上記アパーチャ４１の位置を検知しているので、極めて正確に位置情報が確認できる他、蛍光ランプ４を駆動中、万一停電や誤操作等によって電源が切れ、アパーチャ４１が中途半端な位置（図１２のＴ１、Ｔ３、Ｔ４の範囲）に停止しても、その後再通電された時点で、上記出力端子８３、８４、８５の何れから常時位置検知用信号Ｓが出力されているか検知し、速やかに駆動方向を判別することができ、都合がよい。
【００５１】
なお、上述した実施例は、本発明の好適な実施例であるが、本発明はこれに限定されるものではなく、本発明の要旨を逸脱しない範囲において、種々変形実施可能である。
【００５２】
また、本発明は、希ガスを封入したキセノンランプのように、その長手方向に直角に切った断面方向の分布が急峻で、光源の光軸に対して狭い範囲でしか最大光量ならない蛍光ランプに対して適用すると、特にその作用効果が顕著に発揮でき、好ましい。
【産業上の利用可能性】
【００５３】
本発明の活用例としては、読み取り原稿面を照明するアパーチャを有する光源（例えば蛍光ランプ）を用いた画像読取装置が挙げられる。
【図面の簡単な説明】
【００５４】
【図１】本発明の１実施例に係る画像読取装置の全体構成を示す概略図である。
【図２】図１に示す画像読取装置に用いられる指示手段、駆動制御手段蛍光ランプおよび原稿読み取り面の関係を説明するための概念図である。
【図３】図１に示す画像読取装置に用いられる蛍光ランプの一例を示す斜視図である。
【図４】図３に示す蛍光ランプの要部を示す斜視図
【図５】アパーチャ位置検知用端子を設けたホルダの一例を示す斜視図である。
【図６】ランプ点灯用電源供給側のホルダの一例を示す斜視図である。
【図７】駆動制御手段の一例を示す概略斜視図である。
【図８】アパーチャ位置検知用電極と、アパーチャ位置検知用端子の入出力端子との関係を説明するための概念図である。
【図９】同じくアパーチャ位置検知用電極と、アパーチャ位置検知用端子の入出力端子との関係を説明するための概念図である。
【図１０】本発明の他の実施例に係る画像読取装置に用いられる蛍光ランプの要部を示す斜視図である。
【図１１】本発明の他の実施例に係る画像読取装置に用いられるアパーチャ位置検知用端子を設けたホルダの例を示す斜視図である。
【図１２】アパーチャ位置検知用端子からの出力信号波形を示す波形図である。
【符号の説明】
【００５５】
１        画像形成装置
２        原稿台用コンタクトガラス
３        原稿
４        光源(蛍光ランプ)
１４      原稿
３０      指示手段
３１      指示スイッチ
３２      指示スイッチ
４        蛍光ランプ
４１      アパーチャ
４２      アパーチャ位置検知用電極
６０      駆動制御手段
６１      アパーチャ位置検知部
６２      制御部
６３      駆動部
６４      ウオームホイール
６５      ウオーム
６６      駆動モータ
７１      ホルダ
７２      ホルダ
８１      アパーチャ位置検知用端子
８２      入力端子
８３      出力端子
８４      出力端子
８５      出力端子
Ｇ        原稿情報の信号
Ｓ        位置検知用信号
【図１】
2005244342.tif 000003
【図２】
2005244342.tif 000004
【図３】
2005244342.tif 000005
【図４】
2005244342.tif 000006
【図５】
2005244342.tif 000007
【図６】
2005244342.tif 000008
【図７】
2005244342.tif 000009
【図８】
2005244342.tif 000010
【図９】
2005244342.tif 000011
【図１０】
2005244342.tif 000012
【図１１】
2005244342.tif 000013
【図１２】
2005244342.tif 000014